【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  データを記憶するメモリ、および、このメモリに対してデータの読出しあるいは書込みを行なうための制御部を有し、選択的に外部との間でデータの入出力を行ない、かつ、複数のアプリケーションが登録されていて、これら複数のアプリケーションに関係するデータが格納される複数のアプリケーションファイルが前記メモリ内に設けられている携帯可能電子装置において、
前記複数のアプリケーション間で、そのアプリケーションファイル内のデータを共有指定するための共有データを記憶した記憶手段と、
この記憶手段に記憶された共有データを解釈し前記データ共有を実現する制御手段と、
を具備したことを特徴とする携帯可能電子装置。
【請求項２】  前記記憶手段は前記メモリであり、前記制御手段は前記制御部であって、前記メモリに記憶された共有データを解釈し前記データ共有を実現するプログラムを有し、このプログラムを実行することにより前記データ共有を実現することを特徴とする請求項１記載の携帯可能電子装置。
【請求項３】  前記複数のアプリケーションファイルは、それぞれ少なくとも１つ以上のデータが格納されていて、前記記憶手段は、前記アプリケーションファイル内のデータのうち各アプリケーションファイル間で共有可能なデータごとに共有指定するための共有データをテーブルの形で記憶していることを特徴とする請求項１記載の携帯可能電子装置。
【請求項４】  データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第１のメモリ内に記憶され、前記複数のアプリケーション間で、そのアプリケーションファイル内のデータをバイト単位で共有指定するための共有データを格納した共有データテーブルと、
前記第２のメモリ内に記憶され、前記第１のメモリに記憶された共有データテーブルの内容を解釈し前記データ共有を実現するプログラムを有し、このプログラムを実行することにより前記データ共有を実現する制御手段と、
を具備したことを特徴とする携帯可能電子装置。
【請求項５】  データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第２のメモリ内に記憶され、前記複数のアプリケーション間で、そのアプリケーションファイル内のデータを共有指定するための共有データを格納した共有データテーブルと、
前記第１のメモリ内に記憶され、前記共有データテーブルに対応して前記データ共有を行なうか否かを指定する共有指定データと、
前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段と、
を具備したことを特徴とする携帯可能電子装置。
【請求項６】  前記複数のアプリケーションファイルは、それぞれ少なくとも１つ以上のデータが格納されていて、前記共有データテーブルは、前記アプリケーションファイル内のデータのうち各アプリケーションファイル間で共有可能なデータごとに共有指定するための共有データを格納していることを特徴とする請求項５記載の携帯可能電子装置。
【請求項７】  データを記憶するメモリ、および、このメモリに対してデータの読出しあるいは書込みを行なうための制御部を有し、選択的に外部との間でデータの入出力を行ない、かつ、複数のアプリケーションが登録されていて、これら複数のアプリケーションに関係するデータが格納される複数のアプリケーションファイルが前記メモリ内に設けられている携帯可能電子装置において、
前記複数のアプリケーション間で、そのアプリケーションファイル内のデータを共有指定するための共有データを記憶した記憶手段と、
この記憶手段に記憶された共有データを解釈し前記データ共有を実現する制御手段と、
これら記憶手段および制御手段を有するＩＣモジュールと、
を具備したことを特徴とする携帯可能電子装置。
【請求項８】  データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第１のメモリ内に記憶され、前記複数のアプリケーション間で、そのアプリケーションファイル内のデータをバイト単位で共有指定するための共有データを格納した共有データテーブルと、
前記第２のメモリ内に記憶され、前記第１のメモリに記憶された共有データテーブルの内容を解釈し前記データ共有を実現するプログラムを有し、このプログラムを実行することにより前記データ共有を実現する制御手段と、
これら共有データテーブルおよび制御手段を有するＩＣモジュールと、
を具備したことを特徴とする携帯可能電子装置。
【請求項９】  データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、
前記第２のメモリ内に記憶され、前記複数のアプリケーション間で、そのアプリケーションファイル内のデータを共有指定するための共有データを格納した共有データテーブルと、
前記第１のメモリ内に記憶され、前記共有データテーブルに対応して前記データ共有を行なうか否かを指定する共有指定データと、
前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段と、
これら共有データテーブル、共有指定データおよび制御手段を有するＩＣモジュールと、
を具備したことを特徴とする携帯可能電子装置。
【手続補正２】
【補正対象書類名】明細書
【補正対象項目名】０００９
【補正方法】変更
【補正の内容】
【０００９】
また、本発明の携帯可能電子装置は、データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、前記第１のメモリ内に記憶され、前記複数のアプリケーション間で、そのアプリケーションファイル内のデータをバイト単位で共有指定するための共有データを格納した共有データテーブルと、前記第２のメモリ内に記憶され、前記第１のメモリに記憶された共有データテーブルの内容を解釈し前記データ共有を実現するプログラムを有し、このプログラムを実行することにより前記データ共有を実現する制御手段とを具備している。
また、本発明の携帯可能電子装置は、データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、前記第２のメモリ内に記憶され、前記複数のアプリケーション間で、そのアプリケーションファイル内のデータを共有指定するための共有データを格納した共有データテーブルと、前記第１のメモリ内に記憶され、前記共有データテーブルに対応して前記データ共有を行なうか否かを指定する共有指定データと、前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段とを具備している。
また、本発明の携帯可能電子装置は、データを記憶するメモリ、および、このメモリに対してデータの読出しあるいは書込みを行なうための制御部を有し、選択的に外部との間でデータの入出力を行ない、かつ、複数のアプリケーションが登録されていて、これら複数のアプリケーションに関係するデータが格納される複数のアプリケーションファイルが前記メモリ内に設けられている携帯可能電子装置において、前記複数のアプリケーション間で、そのアプリケーションファイル内のデータを共有指定するための共有データを記憶した記憶手段と、この記憶手段に記憶された共有データを解釈し前記データ共有を実現する制御手段と、これら記憶手段および制御手段を有するＩＣモジュールとを具備している。
また、本発明の携帯可能電子装置は、データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、前記第１のメモリ内に記憶され、前記複数のアプリケーション間で、そのアプリケーションファイル内のデータをバイト単位で共有指定するための共有データを格納した共有データテーブルと、前記第２のメモリ内に記憶され、前記第１のメモリに記憶された共有データテーブルの内容を解釈し前記データ共有を実現するプログラムを有し、このプログラムを実行することにより前記データ共有を実現する制御手段と、これら共有データテーブルおよび制御手段を有するＩＣモジュールとを具備している。
さらに、本発明の携帯可能電子装置は、データを記憶する書換え可能な不揮発性の第１のメモリ、この第１のメモリに対してデータの読出しあるいは書込みを行なうための制御部、および、この制御部が動作するためのプログラムが格納されている書換え不可能な不揮発性の第２のメモリを有し、選択的に外部との間でデータの入出力を行ない、かつ、複数のアプリケーションが登録されていて、これら複数のアプリケーションに関係するデータが格納される複数のアプリケーションファイルが前記第１のメモリ内に設けられている携帯可能電子装置において、前記第２のメモリ内に記憶され、前記複数のアプリケーション間で、そのアプリケーションファイル内のデータを共有指定するための共有データを格納した共有データテーブルと、前記第１のメモリ内に記憶され、前記共有データテーブルに対応して前記データ共有を行なうか否かを指定する共有指定データと、前記第２のメモリ内に記憶され、前記第２のメモリに記憶された共有データテーブルの内容および前記第１のメモリに記憶された共有指定データを解釈し前記データ共有を実現するプログラムを有し、このプログラムを実行することにより前記データ共有を実現する制御手段と、これら共有データテーブル、共有指定データおよび制御手段を有するＩＣモジュールとを具備している。